【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
３ＧＰＰモバイル通信システムネットワークを用いて、コアネットワークへ接続を確立することと、
無線ローカルエリア伝送または受信テクノロジーのうち少なくとも一つを用い、非３ＧＰＰネットワークを介して、前記コアネットワークへの接続を確立することと、
が可能である、ユーザ機器（ＵＥ）装置の、前記コアネットワークへの前記ＵＥ装置の接続管理方法であって、
前記コアネットワークへ第１の非３ＧＰＰ接続を確立する段階と、
前記無線ローカルエリア伝送または前記受信テクノロジーのうち少なくとも一つを用いて基地局へ第２の接続を確立するためのモバイル通信システムの前記基地局からの要求の受信に応答して、前記第１の非３ＧＰＰ接続の一時停止を前記コアネットワークへ通知する段階と、
前記第１の非３ＧＰＰ接続を将来再開するために前記第１の非３ＧＰＰ接続のコンテキスト情報を記憶する段階と、
を備える、方法。
【請求項２】
前記第１の非３ＧＰＰ接続を将来再開するための前記第１の非３ＧＰＰ接続のコンテキスト情報を記憶している間、前記ＵＥ装置は、前記基地局を介して前記コアネットワークと通信する、
請求項１に記載の方法。
【請求項３】
前記基地局からの前記要求は、構成メッセージである、
請求項１または２に記載の方法。
【請求項４】
前記通知する段階は、前記第１の非３ＧＰＰ接続を通じて実行される、
請求項１から３のいずれか一項に記載の方法。
【請求項５】
前記通知する段階は、３ＧＰＰモバイル通信接続を通じて実行される、
請求項１から３のいずれか一項に記載の方法。
【請求項６】
前記ＵＥ装置は、前記コンテキスト情報としてＩＰｓｅｃコンテキスト情報を記憶する、
請求項１から５のいずれか一項に記載の方法。
【請求項７】
前記第２の接続は、信号レベルの測定結果に基づいて、または前記基地局からの要求に応答して、前記ＵＥ装置によって自律的にリリースされてよい、
請求項１から６のいずれか一項に記載の方法。
【請求項８】
前記第２の接続のリリース後に前記第１の非３ＧＰＰ接続が再確立できない場合、前記ＵＥ装置は、前記３ＧＰＰモバイル通信システムネットワークを介して前記第１の非３ＧＰＰ接続をリリースするために、前記コアネットワークへ情報を提供する、
請求項１から７のいずれか一項に記載の方法。
【請求項９】
前記コンテキスト情報は、予め定められた時間記憶され、前記一時停止が前記予め定められた時間を超えた場合、削除される、
請求項１から８のいずれか一項に記載の方法。
【請求項１０】
ユーザ機器（ＵＥ）装置との接続を管理する３ＧＰＰモバイル通信システムネットワークのコアネットワークエンティティにおける方法であって、
前記３ＧＰＰモバイル通信システムネットワークは、
前記３ＧＰＰモバイル通信システムネットワークを介し、第１の接続である、前記ＵＥ装置とコアネットワークとの３ＧＰＰ接続を確立する基地局と、
非３ＧＰＰネットワークを介し、第２の接続である、前記ＵＥ装置と前記コアネットワークとの非３ＧＰＰ接続を確立するためのインターワーキング機能と、
を有し、
前記方法は、
前記インターワーキング機能を介し、前記ＵＥ装置との前記第２の接続を確立する段階と、
前記ＵＥ装置から受信したメッセージに応答して、前記インターワーキング機能を介する前記第２の接続を停止する段階と、
前記第１の接続を介した前記ＵＥ装置との通信の間、前記第２の接続のためのコンテキスト情報を記憶する段階と、
を備える、方法。
【請求項１１】
前記３ＧＰＰモバイル通信システムネットワークは、
前記インターワーキング機能を介する前記ＵＥ装置との前記第２の接続を有する間、前記第２の接続を維持するためのキープアライブメッセージを定期的に送信し、
前記インターワーキング機能を介する前記ＵＥ装置との前記第２の接続を停止している間、前記キープアライブメッセージの送信をやめる、
請求項１０に記載の方法。
【請求項１２】
前記コンテキスト情報は、前記第２の接続が再開されないであろうことを示す前記ＵＥ装置からのメッセージの受信に応答して削除される、
請求項１１に記載の方法。
【請求項１３】
前記コンテキスト情報は、前記第２の接続が再開されない場合、予め定められた時間後に削除される、
請求項１１に記載の方法。
【手続補正２】
【補正対象書類名】明細書
【補正対象項目名】００８７
【補正方法】変更
【補正の内容】
【００８７】
ＰＤＵセッションを停止して、および／またはＮ３ＩＷＦタイマを緩和して、ＵＥが限られた時間だけ到達できないようにするという全体のアイデアは、ＲＡＮに基づくＷＬＡＮインターワーキングの障害に備えるという目的のためだけにも展開されてよい。つまり、ＵＥは、ＷＬＡＮインターワーキング技術を開始する構成をＲＡＮから受信し、ＷＬＡＮインターワーキングが動作していない場合に、ＷＬＡＮを介したＮ３ＧＰＰ接続をリリースするまで、ＵＥがＮ３ＧＰＰ接続を使用することが可能になることだけを「待つ」ように、Ｎ３ＩＷＦおよび／またはＡＭＦに通知してよい。これは、基地局がＵＥから提供された古い測定結果または不十分な測定結果に基づいてその決定を下す場合に当てはまるかもしれない。その手順は、図３および４に関して説明されたものと全く同じに見えるだろう。タイマだけが短く設定され、ＵＰＦは、ＰＤＵセッションの停止について通知されなくてよい。代わりに、Ｎ３ＩＷＦだけがＵＥの短い不在時間を可能とし、その後ＵＥは戻ってセキュリティアソシエーションおよびＮ３ＧＰＰを通じたＡＭＦへの登録を再利用することができる。
［項目１］
移動体通信システムネットワークを用いてコアネットワークへの接続を確立し、かつ上記移動体通信システムネットワーク以外のネットワークを介して上記コアネットワークへの接続を確立することが可能なユーザ機器（ＵＥ）装置と上記コアネットワークとの接続を管理する方法であって、
上記移動体通信システムネットワーク以外のネットワークを介して、上記コアネットワークへの第１の接続の確立を完了する段階と、上記移動体通信システムの基地局から、上記移動体通信システムネットワーク以外のネットワークを介して、上記基地局への第２の接続を確立する要求を受信したことに応答して、上記第１の接続の一時停止を上記コアネットワークに通知する段階と、上記第１の接続を将来再開するために、上記第１の接続のコンテキスト情報を記憶する段階とを備える、方法。
［項目２］
上記ＵＥ装置は、上記第１の接続を将来再開するために、上記第１の接続のコンテキスト情報を記憶する間、上記基地局を介して上記コアネットワークと通信する、項目１に記載の方法。
［項目３］
上記基地局からの上記要求は、構成メッセージである、項目１または２に記載の方法。
［項目４］
上記通知する段階は、上記第１の接続を通じて実行される、項目１から３のいずれか一項に記載の方法。
［項目５］
上記通知する段階は、移動体通信接続を通じて実行される、項目１から３のいずれか一項に記載の方法。
［項目６］
上記ＵＥ装置は、上記コンテキスト情報としてＩＰｓｅｃコンテキスト情報を記憶する、項目１から５のいずれか一項に記載の方法。
［項目７］
上記第２の接続は、信号レベルの測定結果に基づいて、または上記基地局からの要求に応答して、上記ＵＥ装置によって自律的にリリースされてよい、項目１から６のいずれか一項に記載の方法。
［項目８］
上記第１の接続が、上記第２の接続をリリースした後に再確立されることができない場合、上記ＵＥ装置は、上記コアネットワークに情報を提供して上記移動体通信システムを介して上記第１の接続をリリースする、項目１から７のいずれか一項に記載の方法。
［項目９］
上記コンテキスト情報は、予め定められた時間記憶され、上記一時停止が上記予め定められた時間を超えた場合に削除される、項目１から８のいずれか一項に記載の方法。
［項目１０］
ユーザ機器（ＵＥ）装置との接続を管理する移動体通信システムネットワークのコアネットワークのエンティティにおける方法であって、
上記移動体通信システムネットワークは、
上記移動体通信システムネットワークを介して、上記ＵＥ装置と上記コアネットワークとの第１の接続を確立する基地局と、
上記移動体通信システムネットワーク以外のネットワークを介して、上記ＵＥ装置と上記コアネットワークとの第２の接続を確立するインターワーキング機能と
を備え、
上記方法は、
上記インターワーキング機能を介して、上記ＵＥ装置との上記第２の接続を確立する段階と、
上記ＵＥ装置からメッセージを受信したことに応答して、上記インターワーキング機能を介した上記第２の接続を一時停止する一方で、上記第１の接続を介して上記ＵＥ装置と通信しながら、上記第２の接続の再開を延期する上記第２の接続のコンテキスト情報を記憶する段階とを備える、方法。
［項目１１］
上記移動体通信システムネットワークは、
上記インターワーキング機能を介した上記ＵＥ装置との上記第２の接続を有する間、上記第２の接続を維持するためのキープアライブメッセージを定期的に送信し、
上記インターワーキング機能を介した上記ＵＥ装置との上記第２の接続を停止させている間、上記キープアライブメッセージを送信することをやめる、項目１０に記載の方法。
［項目１２］
上記コンテキスト情報は、上記第２の接続が再開しないということを示す上記ＵＥ装置からのメッセージを受信したことに応答して、削除される、項目１１に記載の方法。
［項目１３］
上記コンテキスト情報は、上記第２の接続が再開しない場合、予め定められた時間の後に削除される、項目１１に記載の方法。